(57)【特許請求の範囲】
【請求項１】
フレームに固定された磁気ヘッドと、
前記フレームに対して回動自在に設けられた可動片と、
前記磁気ヘッドに磁気券又は磁気カードを押圧する前記可動片に回動自在に設けられたピンチローラと、
軸の先端部が前記フレーム側に位置して前記可動片に移動自在に設けられたノブと、
前記ピンチローラが前記磁気券又は磁気カードを前記磁気ヘッドに押圧する位置で前記軸の先端部が挿入される前記フレームに設けられた凹部と、
前記軸の先端部が前記凹部に挿入されたときのその軸の軸心方向と一致し、かつ、その凹部の位置する前記フレームに貫通して設けられたエア抜き孔と、
前記エア抜き孔に移動自在に設けられ、前記軸の先端部が前記凹部に挿入されたときにその凹部内に位置する一端側がその軸の先端部でその凹部内から押出され、その軸の先端部がその凹部から出たときにその一端側がその凹部内に位置するように設けられたピンと、
前記ピンの他端側で作動される前記フレーム側に固定されたスイッチと、
からなることを特徴とする磁気ヘッド装置。
【発明の詳細な説明】
【０００１】
【発明の属する技術分野】
本発明は、磁気ヘッド装置に係り、特に、磁気ヘッドが正確な位置にセットされているか否かを検出できるようにしたものに関する。
【０００２】
【従来の技術】
従来、自動改札機や自動精算機等の磁気券処理機に組込まれている磁気ヘッド装置は、磁気ヘッドの清掃やジャム券の排出等の保守点検のために、磁気ヘッドとピンチローラとの間が必要に応じて広げられるように構成されている。
【０００３】
図２は、従来の自動改札機に組込まれている磁気ヘッド装置ロの側面図であり、この図２は、後述する図３（ａ），（ｂ）をそれぞれ下から見た図に相当している。この磁気ヘッド装置ロは、図示しない自動改札機のカードハンドラに取付けられるフレームＦに、磁気ヘッドＨとピンチローラＰとが設けられて構成されている。このうち、磁気ヘッドＨは、フレームＦにビス止めにより固定されている。
【０００４】
ピンチローラＰは、フレームＦに支軸１ａを介して回動自在に設けられている可動片１に設けられている。すなわち、このピンチローラＰは、可動片１に支軸２を介して回動自在に設けられていて、図示しない搬送機構により磁気ヘッドＨ上を一点鎖線で示される方向に搬送される磁気券や磁気カード（図示せず）に対して所定の押圧力を与えることができるように構成されている。
【０００５】
可動片１は、ノブ３を引いたときにロックが解除され、図２の二点鎖線で示されるように、支軸１ａを中心にして回動できるように構成されている。したがって、可動片１が回動したときは、磁気ヘッドＨとピンチローラＰとの間が広げられて保守点検が可能となる。
【０００６】
図３（ａ），（ｂ）は、可動片１とノブ３との関係を示すものであって、（ａ）は、図２の実線位置の可動片１の状態を示し、（ｂ）は、可動片１を二点鎖線で示される可動状態に可能な状態を示している。
【０００７】
上記ノブ３は、ノブ３の軸３ａが可動片１を移動自在に貫通して設けられていて、その軸３ａの先端部３ｂは、フレームＦ側に位置し、そのフレームＦに設けられた凹部４に挿入できるように構成されている。
【０００８】
図３中、５は、ノブ３を、常時、可動片１側に吸引するように、つまり、ノブ３の先端部３ａを、常時、凹部４側に突出させるように作用させるばねであり、また、４ａは、軸３ａの先端部３ｂが凹部４へ挿入されるときのエア抜き孔で、凹部４の設けられている部分のフレームＦを貫通して設けられている。そして、このエア抜き孔４ａは、ノブ３の先端部３ｂが凹部４へ挿入されたとき、ノブ３の軸３ａの軸心方向と一致する方向に設けられている。
【０００９】
ノブ３の軸３ａは、可動片１やフレームＦ等の周囲の色と異なるように、例えば、朱色に着色されていて、ノブ３を引いたときの状態を容易に目視できるように、つまり、ピンチローラＰが正常にセットされていない状態を容易に目視できるように構成されている。
【００１０】
【発明が解決しようとする課題】
しかしながら、上記従来の磁気ヘッド装置は、ノブが引かれた状態が軸の着色により目視できるように構成されているけれども、磁気ヘッド装置の保守点検終了後に、ピンチローラのセット忘れが生じることがあり、その状態で自動改札機等の磁気券処理機の運転を開始してしまい、磁気券処理に不都合が発生することがあった。
【００１１】
そこで、本発明は、上記欠点を解決するためになされたものであって、その目的は、磁気ヘッドが正常にセットされているか否かを検出することができるようにした磁気ヘッド装置を提供することにある。
【００１２】
【課題を解決するための手段】
本発明に係る磁気ヘッド装置は、上記目的を達成するために、フレームに固定された磁気ヘッドと、前記フレームに対して回動自在に設けられた可動片と、前記磁気ヘッドに磁気券又は磁気カードを押圧する前記可動片に回動自在に設けられたピンチローラと、軸の先端部が前記フレーム側に位置して前記可動片に移動自在に設けられたノブと、前記ピンチローラが前記磁気券又は磁気カードを前記磁気ヘッドに押圧する位置で前記軸の先端部が挿入される前記フレームに設けられた凹部と、前記軸の先端部が前記凹部に挿入されたときのその軸の軸心方向と一致し、かつ、その凹部の位置する前記フレームに貫通して設けられたエア抜き孔と、そのエア抜き孔に移動自在に設けられ、前記軸の先端部が前記凹部に挿入されたときにその凹部内に位置する一端側がその軸の先端部でその凹部内から押出され、その軸の先端部がその凹部から出たときにその一端側がその凹部内に位置するように設けられたピンと、そのピンの他端側で作動される前記フレーム側に固定されたスイッチと、からなることを特徴としている。
【００１３】
【発明の実施の形態】
以下、本発明の実施の形態を図面に基づいて説明する。図１は、上記図３（ａ）に対応した一実施の形態に係る磁気ヘッド装置イの平面図である。なお、上記従来と同一構成要素には同一符号を用い、これら構成要素については説明が重複するため新規な構成要素について異なる符号を付して説明する。
【００１４】
図中、１０はピンであって、エア抜き孔４ａに移動自在に設けられ、その一端側は凹部４内に位置し、他端側はフレームＦに設けられた取付片１１側に設けられている。この取付片１１側に位置するピン１０には、ばね１２が設けられていて、ピン１０の一端側が、凹部４に挿入されたときの先端部３ｂ側と常時当接できるように構成されている。ばね１２の強さは、ノブ３を移動させることがないように、ばね５の強さよりも十分に小さく決められている。
【００１５】
ピン１０の他端側（凹部４側に位置する一端側と反対側）には、フレームＦ側に固定されたリミットスイッチからなるスイッチ１３が設けられていて、そのスイッチ１３のレバー１３ａがピン１０の他端側に当接されている。したがって、ピン１０がエア抜き孔４ａを移動すると、レバー１３ａが図示の実線位置から二点鎖線位置に移動し、スイッチ１３を作動させることができる。
【００１６】
上記構成において、保守点検終了後にピンチローラＰ（図２参照）が正常にセットされたときは、ピン１０の一端側はノブ３の軸３ａの先端部３ｂで押下された状態となる。そして、ピン１０の一端側が軸３ａの先端部３ｂで押下されると、ピン１０が移動してピン１０の他端側でレバー１３ａが押下され、スイッチＳからは、ピンチローラＰが正常にセットされた旨の信号が図示しない磁気券処理機の制御器（磁気券処理機が自動改札機の場合は自動改札機の制御器）に入力される。
【００１７】
他方、ピンチローラＰのセット不良のときは、すなわち、保守点検終了後においても、図２の二点鎖線で示される位置にあるときは、スイッチ１３のレバー１３ａはピン１０の他端側によって押下されることがないので、スイッチＳからはセット未了の信号が制御器に出力される。そして、制御器からは、図示しない表示器（磁気券処理機が自動改札機の場合は、乗車券返却口近くの表示画面）にセット未了の旨の表示が行われる。したがって、係員は、速やかにセット不良に対処することができる。
【００１８】
【発明の効果】
本発明に係る磁気ヘッド装置は、フレームに固定された磁気ヘッドと、前記フレームに対して回動自在に設けられた可動片と、前記磁気ヘッドに磁気券又は磁気カードを押圧する前記可動片に回動自在に設けられたピンチローラと、軸の先端部が前記フレーム側に位置して前記可動片に移動自在に設けられたノブと、前記ピンチローラが前記磁気券又は磁気カードを前記磁気ヘッドに押圧する位置で前記軸の先端部が挿入される前記フレームに設けられた凹部と、前記軸の先端部が前記凹部に挿入されたときのその軸の軸心方向と一致し、かつ、その凹部の位置する前記フレームに貫通して設けられたエア抜き孔と、そのエア抜き孔に移動自在に設けられ、前記軸の先端部が前記凹部に挿入されたときにその凹部内に位置する一端側がその軸の先端部でその凹部内から押出され、その軸の先端部がその凹部から出たときにその一端側がその凹部内に位置するように設けられたピンと、そのピンの他端側で作動される前記フレーム側に固定されたスイッチとからなるので、保守点検終了後の磁気ヘッドのセット不完全を確実に知ることができる。
【図面の簡単な説明】
【図１】本発明の一実施の形態係る磁気ヘッド装置の平面図である。
【図２】従来の磁気ヘッド装置の正面図である。
【図３】（ａ）は正常にセットされた状態の図２の平面図、（ｂ）は可動片が可能状態にあるときの図２の平面図である。
【符号の説明】
１  可動片
１ａ  支軸
２  支軸
３  ノブ
３ａ  軸
３ｂ  先端部
４  凹部
４ａ  エア抜き孔
５  ばね
１０  ピン
１１  取付片
１２  ばね
１３  スイッチ
１３ａ  レバー
イ  磁気ヘッド装置
Ｆ  フレーム
Ｈ  磁気ヘッド
Ｐ  ピンチローラ
【図１】
0003649520.tif 000002
【図２】
0003649520.tif 000003
【図３】
0003649520.tif 000004